(57)【特許請求の範囲】
【請求項１】
患者に対する施術前に予め取得された３次元画像を用いて患者や前記患者を施術するための施術道具をトラッキングするためのオプティカルトラッキングシステム（ｏｐｔｉｃａｌ  ｔｒａｃｋｉｎｇ  ｓｙｓｔｅｍ）において、
前記患者に相対的に配置されて前記患者から離隔している物体に固定付着された基準マーカー（ｍａｒｋｅｒ）部と、
前記３次元画像に対応する前記患者の所定部位に対して３次元形状を測定する形状測定部と、
前記基準マーカー部及び前記形状測定部をそれぞれトラッキングできるように前記基準マーカー部及び前記形状測定部をセンシング（ｓｅｎｓｉｎｇ）するトラッキングセンサ部と、
前記トラッキングセンサ部でセンシングされた結果に基づいて前記基準マーカー部と前記トラッキングセンサ部との間の座標変換関係及び前記形状測定部と前記トラッキングセンサ部との間の座標変換関係を取得し、前記形状測定部で測定された結果に基づいて前記患者の所定部位と前記形状測定部との間の座標変換関係を取得し、前記取得された座標変換関係から前記基準マーカー部に対して相対的な前記患者の座標系を定義する処理部と
を含むオプティカルトラッキングシステム。
【請求項２】
前記形状測定部は、測定装置及び前記測定装置に設けられたマーカーを含み、
前記トラッキングセンサ部は、前記形状測定部のマーカーをセンシングし、
前記処理部は、前記形状測定部のマーカーと前記トラッキングセンサ部との間の座標変換関係及び前記形状測定部の測定装置と前記形状測定部のマーカーとの間の座標変換関係を取得することを特徴とする、請求項１に記載のオプティカルトラッキングシステム。
【請求項３】
前記座標変換関係は座標変換行列で表され、
前記処理部は、下記の数式により前記基準マーカー部に対して相対的な前記患者の座標系を定義することを特徴とする、請求項２に記載のオプティカルトラッキングシステム。
0006475324.tif 000018
(ＰＲは、前記基準マーカー部に対する前記患者の座標変換行列、Ｔ１は、前記トラッキングセンサ部に対する前記基準マーカー部の座標変換行列、Ｔ２は、前記トラッキングセンサ部に対する前記形状測定部のマーカーの座標変換行列、Ｔ３は、前記形状測定部のマーカーに対する前記形状測定部の測定装置の座標変換行列、Ｔ４は、前記形状測定部の測定装置に対する前記患者の座標変換行列)
【請求項４】
前記処理部は、前記患者に対する施術前に予め取得された３次元画像の座標系及び前記基準マーカー部に対して相対的に定義された前記患者の座標系を、前記形状測定部で測定された３次元形状に基づいて整合することを特徴とする、請求項１に記載のオプティカルトラッキングシステム。
【請求項５】
前記患者を施術するためのマーカーを含む施術道具をさらに含み、
前記トラッキングセンサ部は、前記施術道具のマーカーをトラッキングできるように前記施術道具のマーカーをセンシングし、
前記処理部は、前記トラッキングセンサ部でセンシングされた結果に基づいて前記基準マーカー部と前記トラッキングセンサ部との間の座標変換関係及び前記施術道具のマーカーと前記トラッキングセンサ部との間の座標変換関係を取得し、前記座標変換関係及び前記基準マーカー部に対して相対的に定義された前記患者の座標系を用いて前記患者に対して相対的な前記施術道具の座標系を定義することを特徴とする、請求項４に記載のオプティカルトラッキングシステム。
【請求項６】
前記処理部は、前記患者に対する施術前に予め取得された３次元画像の座標系及び前記患者に対して相対的に定義された前記施術道具の座標系を、前記３次元画像の座標系及び前記患者の座標系の整合結果に基づいて整合することを特徴とする、請求項５に記載のオプティカルトラッキングシステム。
【請求項７】
前記処理部は、前記患者が動く場合、自動または手動で前記患者の座標系を再定義することを特徴とする、請求項１に記載のオプティカルトラッキングシステム。
【請求項８】
オプティカルトラッキングシステムのトラッキングセンサ部が、患者に相対的に配置されて前記患者から離隔している物体に固定付着された基準マーカー部及び前記患者に対する施術前に取得した３次元画像に対応する前記患者の所定部位に対して３次元形状を測定する形状測定部をセンシングする段階と、
オプティカルトラッキングシステムの処理部が、前記トラッキングセンサ部でセンシングされた結果に基づいて前記基準マーカー部と前記トラッキングセンサ部との間の座標変換関係及び前記形状測定部と前記トラッキングセンサ部との間の座標変換関係を取得し、前記形状測定部で測定された結果に基づいて前記患者の所定部位と前記形状測定部との間の座標変換関係を取得する段階と、
前記処理部が、前記取得された座標変換関係から前記基準マーカー部に対して相対的な前記患者の座標系を定義する段階と
を含むオプティカルトラッキングシステムの作動方法。
【請求項９】
前記形状測定部は、測定装置及び前記測定装置に設けられたマーカーを含み、
前記基準マーカー部と前記トラッキングセンサ部との間の座標変換関係及び前記形状測定部と前記トラッキングセンサ部との間の座標変換関係を取得し、前記患者の所定部位と前記形状測定部との間の座標変換関係を取得する段階は、
前記処理部が、前記基準マーカー部と前記トラッキングセンサ部との間の座標変換関係及び前記形状測定部のマーカーと前記トラッキングセンサ部との間の座標変換関係を取得する段階と、
前記処理部が、前記形状測定部の測定装置と前記形状測定部のマーカーとの間の座標変換関係を取得する段階と、
前記処理部が、前記患者と前記形状測定部の測定装置との間の座標変換関係を取得する段階と
を含むことを特徴とする、請求項８に記載のオプティカルトラッキングシステムの作動方法。
【請求項１０】
前記取得された座標変換関係から前記基準マーカー部に対して相対的な前記患者の座標系を定義する段階後に、
前記処理部が、前記取得された３次元画像の座標系及び前記定義された前記患者の座標系を前記形状測定部で測定された３次元形状に基づいて整合する段階をさらに含むことを特徴とする、請求項８に記載のオプティカルトラッキングシステムの作動方法。
【請求項１１】
前記取得された３次元画像の座標系及び前記定義された前記患者の座標系を整合する段階後に、
前記トラッキングセンサ部が、前記患者を施術するための施術道具のマーカーをセンシングする段階と、
前記処理部が、前記トラッキングセンサ部でセンシングされた結果に基づいて前記基準マーカー部と前記トラッキングセンサ部との間の座標変換関係及び前記施術道具のマーカーと前記トラッキングセンサ部との間の座標変換関係を取得する段階と、
前記処理部が、前記座標変換関係及び前記基準マーカー部に対して相対的に定義された前記患者の座標系を用いて前記患者に対して相対的な前記施術道具の座標系を定義する段階と
をさらに含むことを特徴とする、請求項１０に記載のオプティカルトラッキングシステムの作動方法。
【請求項１２】
前記患者に対して相対的な前記施術道具の座標系を定義する段階後に、
前記処理部が、前記取得された３次元画像の座標系及び前記定義された前記施術道具の座標系を、前記３次元画像の座標系及び前記患者の座標系の整合結果に基づいて整合する段階をさらに含むことを特徴とする、請求項１１に記載のオプティカルトラッキングシステムの作動方法。
【請求項１３】
前記患者が動く場合、
前記処理部が、前記患者に相対的に固定配置された基準マーカー部及び前記３次元画像に対応する前記患者の所定部位に対して３次元形状を測定する形状測定部をトラッキングセンサ部によりセンシングする段階以下は繰り返し実行することを特徴とする、請求項８に記載のオプティカルトラッキングシステムの作動方法。
【発明の詳細な説明】
【技術分野】
【０００１】
本発明は、オプティカルトラッキングシステム及びオプティカルトラッキングシステムの座標系整合方法に関するもので、より詳細には、患者や施術道具をトラッキングするためのオプティカルトラッキングシステム及びオプティカルトラッキングシステムの座標系整合方法に関するものである。
【０００２】
本発明は、知識経済部の産業源泉技術開発事業の一環として実行された研究から導き出されたものである[課題固有番号：１００４００９７、課題名：医療手術ロボット画像基盤の耳鼻咽喉科及び神経外科手術用の最小侵襲多自由度手術ロボットシステム技術開発]。
【背景技術】
【０００３】
最近、患者の患部を治療する手術において、既撮影された画像を用いた画像誘導手術(ｉｍａｇｅ−ｇｕｉｄｅｄ  ｓｕｒｇｅｒｙ)が多く活用されている。特に、患者身体内の重要な神経と主要な臓器を回避しながら手術を進めなければならない場合には、既撮影された画像を基盤として高い精度を有する手術を行うことが要求される。
【０００４】
一般に、既撮影された映像は、ＭＲＩ撮影、ＣＴ撮影などにより取得された３次元画像を含み、手術開始時には、このような既撮影された３次元画像の座標系と患者の座標系を互いに一致させる整合(ｒｅｇｉｓｔｒａｔｉｏｎ)が必要で、手術進行中には患者や手術道具の動きによる位置及び姿勢変化をリアルタイムで把握することが必要である。また、手術中に患者の姿勢が変わる場合、患者の座標系を再整合(ｒｅ−ｒｅｇｉｓｔｒａｔｉｏｎ)して患者あるいは患部を持続的に追跡することが必要である。
【０００５】
従来は、このような整合及びトラッキングのために動的参照装置(ｄｙｎａｍｉｃ  ｒｅｆｅｒｅｎｃｅ  ｂａｓｅ、ＤＲＢ)が活用されてきた。即ち、事前に前記動的参照装置を患者に付着した後、ＣＴのような３次元画像を撮影し、手術開始時に前記３次元画像の座標系と患者の座標系を互いに整合した後、手術進行中には、前記動的参照装置に基づいて手術道具をトラッキングすることにより、患者の患部に対する相対的な手術道具の位置などをトラッキングする。この場合、整合のために前記動的参照装置が患者に固定されたままで事前に３次元画像が撮影される必要があり、正確なトラッキングのために厳格に患者に固定される必要がある。
【０００６】
このために、従来は、例えば、患者の骨の部分にマーカー(ｍａｒｋｅｒ)を打ち込んだ後、これをセンシングしてトラッキングする方法、患者の歯にマーカーが付着されたテンプレート(ｔｅｍｐｌａｔｅ)をかまし、これをセンシングしてトラッキングする方法などが採用されたり、人工構造物を生成して加工されたスタンプ(ＳＴＡＭＰ、Ｓｕｒｆａｃｅ  Ｔｅｍｐｌａｔｅ−Ａｓｓｉｓｔｅｄ  Ｍａｒｋｅｒ  Ｐｏｓｉｔｉｏｎ)を用いる方法などが採用されてきた。
【０００７】
しかし、前記のような従来の方法は、マーカー付着の困難と骨に打ち込むことで生じる副作用、歯にかますことにより発生し得るマーカーの位置変化による精度及び信頼性の減少、手術前に高価なスタンプを製作しなければならない煩わしさと製作に要される多くの時間と費用等のような様々な問題がある。また、従来の方法の場合、動的参照装置が厳格に患者に固定されるとしても、患者が動く場合には、前記動的参照装置と患者の患部との間の距離、姿勢などが変わることがあるので、正確なトラッキングがなされず、再整合もできず、これを用いることができない問題がある。従って、従来の方法の場合、患者が動かないと仮定して手術を進めるが、現実的に手術中に患者が動く場合が多いので、実質的に正確なトラッキングがなされるには困難がある。
【０００８】
従って、より短時間に少ない費用で、正確な整合結果を取得できる整合方法の開発が要請され、手術中に患者が動いたり姿勢が変わる場合にも、トラッキングが比較的正確で容易なトラッキングシステム及びトラッキング方法の開発が要請されている。
【発明の概要】
【発明が解決しようとする課題】
【０００９】
従って、本発明が解決しようとする課題は、より短時間に少ない費用で、正確かつ容易に患者や施術道具をトラッキングできるオプティカルトラッキングシステムを提供するものである。
【００１０】
本発明が解決しようとする他の課題は、より短時間に少ない費用で、正確かつ容易に患者や施術道具をトラッキングできるオプティカルトラッキングシステムの整合方法を提供するものである。
【課題を解決するための手段】
【００１１】
本発明の例示的な一実施例によるオプティカルトラッキングシステム(ｏｐｔｉｃａｌ  ｔｒａｃｋｉｎｇ  ｓｙｓｔｅｍ)は、患者に対する施術前に予め取得された３次元画像を用いて患者や前記患者を施術するための施術道具をトラッキングするために提供される。前記オプティカルトラッキングシステムは、基準マーカー(ｍａｒｋｅｒ)部、形状測定部、トラッキングセンサ部及び処理部を含む。前記基準マーカー部は、前記患者に相対的に固定配置される。前記形状測定部は、前記３次元画像に対応する前記患者の所定部位に対して３次元形状を測定する。前記トラッキングセンサ部は、前記基準マーカー部及び前記形状測定部をそれぞれトラッキングできるように前記基準マーカー部及び前記形状測定部をセンシング(ｓｅｎｓｉｎｇ)する。前記処理部は、前記トラッキングセンサ部でセンシングされた結果に基づいて前記基準マーカー部と前記トラッキングセンサ部との間の座標変換関係及び前記形状測定部と前記トラッキングセンサ部との間の座標変換関係を取得し、前記形状測定部で測定された結果に基づいて前記患者の所定部位と前記形状測定部との間の座標変換関係を取得し、前記取得された座標変換関係から前記基準マーカー部に対して相対的な前記患者の座標系を定義する。
【００１２】
一実施例によれば、前記形状測定部は、前記３次元画像に対応する前記患者の所定部位に対して３次元形状を測定する測定装置及び前記測定装置に設けられたマーカーを含み得、前記トラッキングセンサ部は、前記形状測定部のマーカーをセンシングすることができる。前記処理部は、前記形状測定部のマーカーと前記トラッキングセンサ部との間の座標変換関係及び前記形状測定部の前記測定装置と前記マーカーの間の座標変換関係を取得することができる。
【００１３】
例えば、前記座標変換関係は、座標変換行列で表されることができ、前記処理部は、下記の数式により前記基準マーカー部に対して相対的な前記患者の座標系を定義することができる。
0006475324.tif 000002
(ＰＲは、前記基準マーカー部に対する前記患者の座標変換行列、Ｔ１は、前記トラッキングセンサ部に対する前記基準マーカー部の座標変換行列、Ｔ２は、前記トラッキングセンサ部に対する前記形状測定部のマーカーの座標変換行列、Ｔ３は、前記形状測定部のマーカーに対する測定装置の座標変換行列、Ｔ４は、前記形状測定部の測定装置に対する前記患者の座標変換行列)
【００１４】
例えば、前記トラッキングセンサ部は、前記トラッキングセンサ部に対する前記基準マーカー部の座標変換行列（Ｔ１）及び前記トラッキングセンサ部に対する前記形状測定部のマーカーの座標変換行列（Ｔ２）を取得するための情報を測定することができ、前記形状測定部は、前記形状測定部の測定装置に対する前記患者の座標変換行列（Ｔ４）を取得するための情報を測定することができる。前記処理部は、前記測定された情報を用いて前記座標変換行列（Ｔ１、Ｔ２、Ｔ４）を取得し、前記取得された座標変換行列（Ｔ１、Ｔ２、Ｔ４）から前記形状測定部のマーカーに対する測定装置の座標変換行列（Ｔ３）及び前記基準マーカー部に対する前記患者の座標変換行列（ＰＲ）を算出することができる。前記トラッキングセンサ部及び前記形状測定部の測定は２回以上実行することができる。
【００１５】
一実施例によれば、前記処理部は、前記患者に対する施術前に予め取得された３次元画像の座標系及び前記基準マーカー部に対して相対的に定義された前記患者の座標系を前記形状測定部で測定された３次元形状に基づいて整合することができる。
【００１６】
前記オプティカルトラッキングシステムは、マーカーを含み、前記患者を施術するための施術道具をさらに含み得る。前記トラッキングセンサ部は、前記施術道具のマーカーをトラッキングできるように前記施術道具のマーカーをセンシングすることができ、前記処理部は、前記トラッキングセンサ部でセンシングされた結果に基づいて前記基準マーカー部と前記トラッキングセンサ部との間の座標変換関係及び前記施術道具のマーカーと前記トラッキングセンサ部との間の座標変換関係を取得し、前記取得された座標変換関係及び前記基準マーカー部に対して相対的に定義された前記患者の座標系を用いて前記患者に対して相対的な前記施術道具の座標系を定義することができる。
【００１７】
一実施例によれば、前記処理部は、前記患者に対する施術前に予め取得された３次元画像の座標系及び前記患者に対して相対的に定義された前記施術道具の座標系を、前記３次元画像の座標系及び前記患者の座標系の整合結果に基づいて整合することができる。
【００１８】
前記処理部は、前記患者が動く場合、自動または手動で前記患者の座標系を再定義することができる。
【００１９】
本発明の例示的な他の実施例によるオプティカルトラッキングシステムの座標系整合方法は、患者に対する施術前に前記患者の３次元画像を取得する段階と、前記患者に相対的に固定配置された基準マーカー部及び前記３次元画像に対応する前記患者の所定部位に対して３次元形状を測定する形状測定部をトラッキングセンサ部によりセンシングする段階と、前記トラッキングセンサ部でセンシングされた結果に基づいて前記基準マーカー部と前記トラッキングセンサ部との間の座標変換関係及び前記形状測定部と前記トラッキングセンサ部の間の座標変換関係を取得し、前記形状測定部で測定された結果に基づいて前記患者の所定部位と前記形状測定部との間の座標変換関係を取得する段階と、前記取得された座標変換関係から前記基準マーカー部に対して相対的な前記患者の座標系を定義する段階とを含む。
【００２０】
一実施例によれば、前記基準マーカー部と前記トラッキングセンサ部との間の座標変換関係及び前記形状測定部と前記トラッキングセンサ部との間の座標変換関係を取得し、前記患者の所定部位と前記形状測定部との間の座標変換関係を取得する段階は、前記基準マーカー部と前記トラッキングセンサ部との間の座標変換関係及び前記形状測定部のマーカーと前記トラッキングセンサ部との間の座標変換関係を取得する段階と、前記形状測定部の前記測定装置と前記マーカーとの間の座標変換関係を取得する段階と、前記患者と前記形状測定部の前記測定装置との間の座標変換関係を取得する段階とを含み得る。
【００２１】
前記トラッキングシステムの座標系整合方法は、前記取得された座標変換関係から前記基準マーカー部に対して相対的な前記患者の座標系を定義する段階後に、前記取得された３次元画像の座標系及び前記定義された前記患者の座標系を前記形状測定部で測定された３次元形状に基づいて整合する段階をさらに含み得る。
【００２２】
前記トラッキングシステムの座標系整合方法は、前記取得された３次元画像の座標系及び前記定義された前記患者の座標系を整合する段階後に、前記患者を施術するための施術道具のマーカーをセンシングする段階と、前記トラッキングセンサ部でセンシングされた結果に基づいて前記基準マーカー部と前記トラッキングセンサ部との間の座標変換関係及び前記施術道具のマーカーと前記トラッキングセンサ部との間の座標変換関係を取得する段階と、前記取得された座標変換関係及び前記基準マーカー部に対して相対的に定義された前記患者の座標系を用いて前記患者に対して相対的な前記施術道具の座標系を定義する段階とをさらに含み得る。
【００２３】
前記トラッキングシステムの座標系整合方法は、前記患者に対して相対的な前記施術道具の座標系を定義する段階後に、前記取得された３次元画像の座標系及び前記定義された前記施術道具の座標系を前記３次元画像の座標系及び前記患者の座標系の整合結果に基づいて整合する段階をさらに含み得る。
【００２４】
前記患者が動く場合、前記患者に相対的に固定配置された基準マーカー部及び前記３次元画像に対応する前記患者の所定部位に対して３次元形状を測定する形状測定部をトラッキングセンサ部によりセンシングする段階以下は繰り返し実行することができる。
【発明の効果】
【００２５】
本発明によれば、オプティカルトラッキングシステムが形状測定部を備え、患者の所定部位に対して３次元形状を測定し、トラッキングセンサ部で前記形状測定部と基準マーカー部をセンシングすることにより、これらの間の座標変換関係から前記基準マーカー部に対して相対的な前記患者の座標系を定義することができ、施術時にリアルタイムで前記患者及び施術道具をトラッキングできる。
【００２６】
また、前記基準マーカー部に対して相対的な前記患者の座標系を定義する過程が容易に再実行され得るので、前記患者が動いたり姿勢が変わる場合にも、正確に座標系を再設定することができ、前記患者及び前記施術道具をリアルタイムで正確にトラッキングできる。
【００２７】
また、施術時に測定された前記患者の３次元形状自体を標識に整合が可能なので、動的参照装置（ＤＲＢ）を患者に直接付着しなくても、施術前に予め取得された３次元画像の座標系と施術時にリアルタイムで移動され得る患者の座標系及び施術道具の座標系を互いに整合することができる。また、事前に前記３次元画像を取得する時にも、前記動的参照装置を付着する必要がなく、いつでも座標系の再設定及び再整合が可能なので、前記基準マーカー部は、前記患者に対して厳格に固定される必要もない。
【００２８】
従って、マーカーを患者に直接付着することで引き起こされる患者の苦痛と誤差、手術前にスタンプを製作しなければならない等の作業の煩わしさと多くの所要時間及び費用等のような従来技術の問題を解決することができる。
【００２９】
即ち、別途の準備過程なしに手術室内で迅速に患者の座標系を設定して、画像整合を行うことができるので、より短時間及び少ない費用で正確かつ容易に患者の座標系及び施術道具の座標系設定及び画像整合が可能で、患者に直接付着される動的参照装置（ＤＲＢ）を省略して患者に直接操作を加えなくてもよく、患者の苦痛及び副作用を軽減することができる。
【図面の簡単な説明】
【００３０】
【図１】本発明の一実施例によるオプティカルトラッキングシステムを示す概念図である。
【図２】図１のオプティカルトラッキングシステムのモデリング過程を説明するための概念図である。
【図３】図１のオプティカルトラッキングシステムで施術道具のトラッキング及び整合を説明するための概念図である。
【図４】本発明の一実施例によるオプティカルトラッキングシステムの座標系整合方法を示すフローチャートである。
【発明を実施するための形態】
【００３１】
本発明は多様な変更を加えることができ、多様な形態を有することができるところ、特定実施例を図面に例示して本文に詳細に説明する。しかし、これは本発明を特定の開示形態に対して限定しようというものではなく、本発明の思想及び技術範囲に含まれる全ての変更、均等物ないし代替物を含むと理解されるべきである。
【００３２】
第１、第２等の用語は、多様な構成要素を説明するのに用いられるが、前記構成要素は、前記用語により限定されてはならない。前記用語は１つの構成要素を他の構成要素から区別する目的でのみ用いられる。例えば、本発明の権利範囲を逸脱せず、第１構成要素は第２構成要素と命名され得、同様に第２構成要素も第１構成要素と命名され得る。
【００３３】
本出願で用いた用語は、単に特定の実施例を説明するために用いられたもので、本発明を限定しようという意図ではない。単数の表現は文脈上明確に異なって言及しない以上、複数の表現を含む。本出願で、「含む」または「有する」などの用語は、明細書に記載された特徴、数字、段階、動作、構成要素、部分品またはこれらを組み合わせたものが存在することを指定しようというものであって、１つまたはそれ以上の他の特徴や数字、段階、動作、構成要素、部分品またはこれらを組み合わせたものの存在または付加の可能性を予め排除しないと理解されなければならない。
【００３４】
別に定義されない限り、技術的であったり科学的な用語を含めてここで用いられる全ての用語は、本発明の属する技術分野で通常の知識を有する者に一般に理解されるものと同一の意味を有する。
【００３５】
一般に用いられる辞典に定義されている用語は、関連技術の文脈上有する意味と一致する意味を有すると解釈されるべきで、本出願で明確に定義していない限り、理想的であったり過度に形式的な意味に解釈されない。
【００３６】
以下、添付した図面を参照して、本発明の好ましい実施例をより詳細に説明する。
【００３７】
図１は、本発明の一実施例によるオプティカルトラッキングシステムを示す概念図である。
【００３８】
本発明の一実施例によるオプティカルトラッキングシステム（ｏｐｔｉｃａｌ  ｔｒａｃｋｉｎｇ  ｓｙｓｔｅｍ）は、患者に対する施術前に予め取得された３次元画像を用いて患者や前記患者を施術するための施術道具をトラッキングするために提供される。
【００３９】
前記３次元画像は、前記患者１０に対する施術前に予め取得された画像であって、前記患者１０に対する施術時に基準画像として活用され得る。ここで、前記施術は、手術を含む患者に対する医療的治療行為全体を含む。例えば、前記３次元画像は、診断及び治療のために病院で一般に取得するＣＴ(コンピュータ断層撮影、ｃｏｍｐｕｔｅｄ  ｔｏｍｏｇｒａｐｈｙ)画像を含み得る。これとは異なり、前記３次元画像はＭＲＩ(磁気共鳴画像、ｍａｇｎｅｔｉｃ  ｒｅｓｏｎａｎｃｅ  ｉｍａｇｉｎｇ)などのような他の３次元画像を含み得る。また、ここで前記３次元画像は、ＣＴ画像のように直接撮影された画像を操作したり再構成した画像も含む概念であって、実際の施術時に広く活用される多平面再構成画像及び３次元再構成画像も全て含む概念である。
【００４０】
図１を参照すると、前記オプティカルトラッキングシステム１００は、基準マーカー（ｍａｒｋｅｒ）部１１０、形状測定部１２０、トラッキングセンサ部１３０及び処理部１４０を含む。
【００４１】
前記基準マーカー部１１０は、患者１０に相対的に固定配置される。
【００４２】
前記基準マーカー部１１０には、マーカー１１２が設けられ、前記マーカー１１２は後述されるトラッキングセンサ部１３０でセンシングが可能にエネルギーまたは信号を発生させ得る。例えば、前記基準マーカー部１１０には、複数のマーカーが設けられ、所定のパターンが形成された１つのマーカーが設けられることもできる。
【００４３】
前記基準マーカー部１１０は、従来の動的参照装置（ＤＲＢ）と対応するが、前記基準マーカー部１１０は、従来の動的参照装置と異なって整合の基準にならないので、ＣＴ、ＭＲＩのような前記３次元画像を撮影する時、これを前記患者１０に付着する必要がない。また、従来の動的参照装置は、必ず前記患者１０に直接付着されなければならず、前記患者１０に厳格に固定されなければならないのに対し、前記基準マーカー部１１０は、前記患者１０に直接付着されてもよいが、前記患者１０に相対的に固定されさえすればよいので、手術室のベッドなど他の固定物体に付着され得、前記患者１０に厳格に固定される必要がない。
【００４４】
前記形状測定部１２０は、前記３次元画像に対応する前記患者１０の所定部位に対して３次元形状を測定する。
【００４５】
一実施例によれば、前記形状測定部１２０は、測定装置１２２及びマーカー１２４を含み得る。
【００４６】
前記測定装置１２２は、前記３次元画像に対応する前記患者１０の所定部位に対して３次元形状を測定する。一実施例によれば、前記測定装置１２２は、格子パターン光を前記患者１０の所定部位に照射し、前記格子パターン光による前記患者１０の所定部位に対する反射イメージを取得した後、前記取得された反射イメージにバケットアルゴリズム（ｂｕｃｋｅｔ  ａｌｇｏｒｉｔｈｍ）を適用して３次元形状を測定できる。また、前記測定された３次元形状から３次元画像を取得することができる。
【００４７】
前記マーカー１２４は、前記測定装置１２２に設けられる。前記マーカー１２４は、後述するトラッキングセンサ部１３０でセンシングが可能にエネルギーまたは信号を発生させ得る。例えば、前記形状測定部１２０には、複数のマーカーが設けられ、所定のパターンが形成された１つのマーカーが設けられることもある。
【００４８】
前記トラッキングセンサ部１３０は、前記基準マーカー部１１０及び前記形状測定部１２０をそれぞれトラッキングできるように前記基準マーカー部１１０及び前記形状測定部１２０をセンシング（ｓｅｎｓｉｎｇ）する。
【００４９】
例えば、前記トラッキングセンサ部１３０は、前記基準マーカー部１１０のマーカー１１２をセンシングすることができ、前記形状測定部１２０のマーカー１２４をセンシングすることができる。これにより、前記基準マーカー部１１０の位置及び/又は姿勢が分かり、前記形状測定部１２０の位置及び/又は姿勢が分かる。
【００５０】
前記処理部１４０は、例えば、コンピュータまたはコンピュータの中央処理装置を含み得る。
【００５１】
前記処理部１４０は、前記トラッキングセンサ部１３０でセンシングされた結果に基づいて前記基準マーカー部１１０と前記トラッキングセンサ部１３０との間の座標変換関係及び前記形状測定部１２０と前記トラッキングセンサ部１３０との間の座標変換関係を取得する。また、前記処理部１４０は、前記形状測定部１２０で測定された結果に基づいて前記患者１０の所定部位と前記形状測定部１２０との間の座標変換関係を取得する。ここで、前記座標変換関係は、例えば、行列形態で定義され得る。
【００５２】
前記処理部１４０は、前記取得された座標変換関係から前記基準マーカー部１１０に対し相対的な前記患者１０の座標系を定義する。例えば、前記座標系は、行列形態で定義され得る。
【００５３】
一方、前記形状測定部１２０の前記測定装置１２２の測定位置と前記形状測定部１２０のマーカー１２４の位置は多少差があるので、正確な座標系の定義のために前記測定装置１２２と前記マーカー１２４との間の位置差による誤差をキャリブレーション（ｃａｌｉｂｒａｔｉｏｎ）することもできる。これにより、前記処理部１４０は、前記形状測定部１２０のマーカー１２４と前記トラッキングセンサ部１３０との間の座標変換関係及び前記形状測定部１２０の前記測定装置１２２と前記マーカー１２４との間の座標変換関係を別個に取得することができる。
【００５４】
例えば、前記座標変換関係は、座標変換行列で表され得る。
【００５５】
以下、前記座標変換関係を用いて前記患者１０の座標系を定義するための前記オプティカルトラッキングシステム１００のモデリング設定及び解決過程を図面を参照してより詳細に説明する。
【００５６】
図２は、図１のオプティカルトラッキングシステムのモデリング過程を説明するための概念図である。
【００５７】
図２を参照すると、前記オプティカルトラッキングシステム１００は、前記座標変換関係を座標変換行列Ｔ１、Ｔ２、Ｔ３、Ｔ４及びＰＲでそれぞれ示すことができる。
【００５８】
ここで、ＰＲは、前記基準マーカー部１１０に対する前記患者１０の座標変換行列、Ｔ１は、前記トラッキングセンサ部１３０に対する前記基準マーカー部１１０の座標変換行列、Ｔ２は、前記トラッキングセンサ部１３０に対する前記形状測定部１２０のマーカー１２４の座標変換行列、Ｔ３は、前記形状測定部１２０のマーカー１２４に対する測定装置１２２の座標変換行列、Ｔ４は、前記形状測定部１２０の測定装置１２２に対する前記患者１０の座標変換行列を意味する。
【００５９】
前記基準マーカー部１１０に対する前記患者１０の座標変換行列ＰＲを図２に示された矢印方向に基づいて閉ループ（ｃｌｏｓｅｄ  ｌｏｏｐ）を形成するようにＴ１、Ｔ２、Ｔ３及びＴ４で示ると、数式1が得られる。
【００６０】
【数１】
0006475324.tif 000003
【００６１】
一方、前記トラッキングセンサ部１３０から前記患者１０まで互いに異なる２つの経路を閉ループになるように形成して数式２を得た後、これを変形しても同一の結果である数式１が得られる。
【００６２】
【数２】
0006475324.tif 000004
【００６３】
前記処理部１４０は、数式１(または、数式２)により座標変換行列ＰＲを取得することにより、前記基準マーカー部１１０に対し相対的な前記患者１０の座標系を定義することができる。
【００６４】
例えば、前記トラッキングセンサ部１３０は、前記トラッキングセンサ部１３０に対する前記基準マーカー部１１０の座標変換行列Ｔ１及び前記トラッキングセンサ部１３０に対する前記形状測定部１２０のマーカーの座標変換行列Ｔ２を取得するための情報を測定することができ、前記形状測定部１２０は、前記形状測定部１２０の測定装置に対する前記患者１０の座標変換行列Ｔ４を取得するための情報を測定することができる。前記処理部１４０は、前記測定された情報を用いて座標変換行列Ｔ１、Ｔ２、Ｔ４を取得することができ、前記取得された座標変換行列Ｔ１、Ｔ２、Ｔ４から前記形状測定部１２０のマーカー１２２に対する測定装置１２４の座標変換行列Ｔ３及び前記基準マーカー部１１０に対する前記患者１０の座標変換行列ＰＲを算出することができる。
【００６５】
具体的には、前記座標変換行列Ｔ３、ＰＲは、下記のような数学的方式を適用して取得され得、前記処理部１４０は、このような数学的方式を具現して前記座標変換行列Ｔ３、ＰＲを算出することができる。
【００６６】
まず、前記座標変換行列を回転変換部分Ｒと位置変換部分ｔを含むように構成した後、これを数式２に代入して整理すると数式３が得られる。
【００６７】
【数３】
0006475324.tif 000005
【００６８】
数式３を整理すると、数式４が得られる。
【００６９】
【数４】
0006475324.tif 000006
【００７０】
数式４の各成分を等式で表せば、数式５及び数式６が得られる。
【００７１】
【数５】
0006475324.tif 000007
【００７２】
【数６】
0006475324.tif 000008
【００７３】
数式５において、ＲＴＴを定義して数式５を整理すると、数式７が得られる。
【００７４】
【数７】
0006475324.tif 000009
【００７５】
また、数式６において、ｔＴＴを追加で定義して数式６を整理すると、数式８が得られる。
【００７６】
【数８】
0006475324.tif 000010
【００７７】
数式７及び数式８において、回転変換行列Ｒは３×３形態を有し、位置変換行列ｔは３×１形態を有するので、数式７から３×３行列の各成分に対する式である９つの方程式が得られ、数式８から３×１行列の各成分に対する式である３つの方程式が得られる。
【００７８】
数式７においてＲＴＴの全ての成分(即ち、ＲＴ１及びＲＴ２の全ての成分)及びＲＴ４の全ての成分を先に説明された測定から分かり、数式８においてこれに加えてｔＴ４の全ての成分が分かるので、未知数はＲＰＲとＲＴ３それぞれの９つの成分と、ｔＰＲとｔＴ４のそれぞれの３つの成分などいずれも２４個である。
【００７９】
数式７及び数式８は、いずれも２４個の未知数を含む１２個の方程式なので、２回以上の測定で、より正確な解を求めることができ、これにより、前記トラッキングセンサ部１３０及び前記形状測定部１２０の測定は２回以上行われ得る。
【００８０】
従って、前記のように測定された座標変換関係を用いて前記患者１０の座標系を定義することができる。
【００８１】
前記座標変換行列Ｔ３、ＰＲを取得するために上述した数学的方式は他の方式により代替することもできる。例えば、前記処理部１４０は、デュアルクォータニオン（ｄｕａｌ  ｑｕａｔｅｒｎｉｏｎ）方式を応用して、前記座標変換行列Ｔ３、ＰＲを算出することができる。
【００８２】
具体的には、まず先に記述した数式１から下記の数式９が得られ、数式９を変形して下記の数式１０が得られる。
【００８３】
【数９】
0006475324.tif 000011
【００８４】
【数１０】
0006475324.tif 000012
【００８５】
数式１０を展開し、高次項を除去すると、数式１１が得られる。
【００８６】
【数１１】
0006475324.tif 000013
【００８７】
数式9と数式11をそれぞれデュアルクォータニオン方式を応用して変形すると、下記の数式１２と下記の数式１３が得られる。
【００８８】
【数１２】
0006475324.tif 000014
【００８９】
【数１３】
0006475324.tif 000015
【００９０】
数式１２及び数式１３を行列方程式の形態に変形すると、下記の数式１４が得られ、数式１４から前記座標変換行列Ｔ３、ＰＲを算出することができる。
【００９１】
【数１４】
0006475324.tif 000016
【００９２】
一方、前記処理部１４０は、前記患者１０に対する施術前に予め取得された３次元画像の座標系及び前記基準マーカー部１１０に対し相対的に定義された前記患者１０の座標系を前記形状測定部１２０で測定された３次元形状に基づいて整合することができる。
【００９３】
具体的には、前記患者１０に直接マーカーまたはマーカーに相当する構造物を付着し、これに基づいて３次元画像の座標系と患者の座標系を整合する代わりに、前記のように取得された３次元形状(または、これから得られる３次元画像)の座標系と前記３次元画像の座標系を、前記３次元形状自体を標識にして整合する（ｎａｔｕｒａｌ  ｌａｎｄｍａｒｋ）。
【００９４】
このように、前記処理部１４０は、前記座標変換関係から前記基準マーカー部１１０に対し相対的な前記患者１０の座標系を定義することができ、施術時にリアルタイムで前記患者１０をトラッキングできる。
【００９５】
一方、前記基準マーカー部１１０に対し相対的な前記患者１０の座標系を定義する過程は自動で、あるいは使用者により手動で容易に再実行され得る。即ち、前記処理部１４０は、前記患者１０が動く場合、自動または手動で前記患者の座標系を再定義することができる。この時、前記患者１０が直接動く場合ではなくても、前記患者１０と前記基準マーカー部１１０との間の距離が変わる場合には、前記患者１０が動く場合とみなすことができる。
【００９６】
前記処理部１４０が前記基準マーカー部１１０に対し相対的な前記患者１０の座標系を定義する過程は自動で、あるいは使用者により手動で容易に再実行され得る。
【００９７】
従って、前記患者１０が動いたり姿勢が変わる場合、前記座標系を定義する過程を再実行することにより、正確に座標系を再設定することができる(変化したＰＲの取得)。
【００９８】
一実施例によれば、前記オプティカルトラッキングシステム１００は、前記患者１０の動きを感知する動き感知部(図示せず)を含み得、これを別途に含む代わりに、前記トラッキングセンサ部１３０で前記患者１０の動きを感知することができる。前記動き感知部または前記トラッキングセンサ部１３０で前記患者１０の動きを感知すると、前記処理部１４０は、前記座標系を定義する過程を再実行することにより、前記座標系を再設定することができる。
【００９９】
これにより、前記基準マーカー部１１０に対し相対的な前記患者１０の座標系をリアルタイムで定義することができるので、施術中に患者が動いたり姿勢が変わる場合にも、リアルタイムで前記患者１０を正確にトラッキングできる。
【０１００】
また、施術時に測定された３次元形状自体を標識に整合が可能なので、前記患者１０にマーカーまたはマーカーに対応する構造物のような動的参照装置（ＤＲＢ）を患者に直接付着しなくても、施術前に予め取得された３次元画像の座標系と施術時にリアルタイムで移動され得る患者１０の座標系を互いに整合することができる。また、事前に前記３次元画像を取得する時にも、前記動的参照装置を付着する必要がなく、いつでも座標系の再設定及び再整合が可能なので、前記基準マーカー部１１０は、前記患者１０に対し厳格に固定される必要もない。
【０１０１】
従って、マーカーを患者に直接付着することで引き起こされる患者の苦痛と誤差、手術前にスタンプを製作しなければならない等の作業の煩わしさと多くの所要時間及び費用等のような従来技術の問題を解決することができる。即ち、別途の準備過程なしに手術室内で迅速に患者の座標系を設定して画像整合を行うことができるので、より短時間及び少ない費用で正確かつ容易に患者の座標系設定及び画像整合が可能であり、患者に直接付着される動的参照装置（ＤＲＢ）を省略して患者に直接操作を加えなくてもよいので、患者の苦痛及び副作用を軽減することができる。
【０１０２】
図３は、図１のオプティカルトラッキングシステムで施術道具のトラッキング及び整合を説明するための概念図である。
【０１０３】
図３を参照すると、前記オプティカルトラッキングシステム１００は、施術道具１５０をさらに含み得る。
【０１０４】
前記施術道具１５０は、前記患者１０を施術するための道具であって、マーカー１５２を含む。前記マーカー１５２と前記マーカー１１２は、前記トラッキングセンサ部１３０でセンシングが可能にエネルギーまたは信号を発生させ得る。例えば、前記マーカー１５２は複数に形成され得、パターン情報を含むこともできる。
【０１０５】
前記トラッキングセンサ部１３０は、前記施術道具１５０のマーカー１５２をセンシングして前記施術道具１５０をトラッキングできる。
【０１０６】
前記処理部１４０は、前記トラッキングセンサ部１３０でセンシングされた結果に基づいて前記基準マーカー部１１０と前記トラッキングセンサ部１３０との間の座標変換関係及び前記施術道具１５０のマーカー１５２と前記トラッキングセンサ部１３０との間の座標変換関係を取得する。ここで、前記座標変換関係は、例えば、行列形態で定義され得、座標変換行列で表されることができる。
【０１０７】
前記処理部１４０は、前記取得された座標変換関係及び前記基準マーカー部１１０に対し相対的に定義された前記患者１０の座標系を用いて前記患者１０に対し相対的な前記施術道具１５０の座標系を定義することができる。例えば、前記座標系は行列形態で定義され得る。
【０１０８】
前記基準マーカー部１１０は、前記患者１０に相対的に固定配置されているので、先に図１及び図２で説明された前記基準マーカー部１１０に対し相対的に定義された前記患者１０の座標系を用いることができる。即ち、前記基準マーカー部１１０に対する前記患者１０の座標変換行列ＰＲを用いて、前記トラッキングセンサ１３０でセンシングして算出される座標変換行列Ｔ１’及びＴ２’を用いると、数式１及び数式２で変形された下記の数式１５によって前記患者１０に対し相対的に定義された前記施術道具１５０の座標変換行列Ｔ５が分かる。
【０１０９】
【数１５】
0006475324.tif 000017
【０１１０】
従って、前記のように測定された座標変換関係を用いて前記患者１０に対し相対的な前記施術道具１５０の座標系を定義することができる。
【０１１１】
図３及び数式１５において、前記施術道具１５０の座標変換行列Ｔ５は、前記マーカー１５２に基づいて示されているが、トラッキングが必要な地点、例えば、前記施術道具１５０の端部１５４に基づいて座標変換行列を定義することができる。即ち、前記座標変換行列Ｔ５を前記施術道具１５０のマーカー１５２に対する端部１５４の座標変換行列Ｔ３’及び前記施術道具１５０の端部１５４に対する前記患者１０の座標変換行列Ｔ４’を用いて定義することができ(Ｔ５＝Ｔ３’Ｔ４’)、この場合、Ｔ３’は、前記施術道具１５０の幾何学的形状から分かるので、前記患者１０に対し相対的な前記施術道具１５０の座標系を前記端部１５４に基づいて定義することができる。
【０１１２】
一方、前記処理部１４０は、前記患者１０に対する施術前に予め取得された３次元画像の座標系及び前記患者１０に対し相対的に定義された前記施術道具１５０の座標系を前記３次元画像の座標系及び前記患者の座標系の整合結果に基づいて整合することができる。
【０１１３】
即ち、図１及び図２で説明された通り、前記患者１０に対する施術前に予め取得された３次元画像の座標系及び前記基準マーカー部１１０に対し相対的に定義された前記患者１０の座標系を前記形状測定部１２０で測定された３次元形状に基づいて整合することができ、前記で説明された通り、前記患者１０に対し相対的な施術道具１５０の座標系を定義することができるので、これにより前記患者１０に対する施術前に予め取得された３次元画像の座標系及び前記患者１０に対し相対的に定義された前記施術道具１５０の座標系を互いに整合することができる。
【０１１４】
前記オプティカルトラッキングシステム１００は、前記処理部１４０と連結されたディスプレイ部(図示せず)をさらに含み得る。前記ディスプレイ部は、前記施術前に予め取得された３次元画像、前記形状測定部１２０で測定された３次元形状に関する画像、前記施術道具１５０に対する画像、前記画像が整合されたオーバーラップ画像などがディスプレイされ得る。
【０１１５】
このように、前記処理部１４０は、前記座標変換関係から前記患者１０に対し相対的な前記施術道具１５０の座標系を定義することができ、施術時にリアルタイムで前記施術道具１５０をトラッキングできる。
【０１１６】
一方、前記基準マーカー部１１０に対し相対的な前記患者１０の座標系を定義する過程は自動で、あるいは使用者により手動で容易に再実行され得る。即ち、前記処理部１４０は、前記患者１０が動く場合、自動または手動で前記患者の座標系を再定義できる。この時、前記患者１０が直接動く場合ではなくても、前記患者１０と前記基準マーカー部１１０との間の距離が変わる場合には、前記患者１０が動く場合とみなすことができる。
【０１１７】
従って、前記患者１０が動いたり姿勢が変わる場合、前記座標系を定義する過程を再実行することにより、正確に座標系を再設定することができる(変化したＰＲの取得)。また、前記処理部１４０は、前記患者１０に対し相対的な前記施術道具１５０の座標系も再設定することができ、施術時にリアルタイムで前記施術道具１５０をトラッキングできる。
【０１１８】
これにより、前記基準マーカー部１１０に対し相対的な前記患者１０の座標系をリアルタイムで定義することができるので、施術中に患者が動いたり姿勢が変わる場合にも、リアルタイムで前記施術道具１５０を正確にトラッキングできる。
【０１１９】
また、前記患者１０にマーカーまたはマーカーに相当する構造物のような動的参照装置ＤＲＢを患者に直接付着しなくても、施術前に予め取得された３次元画像の座標系と施術時にリアルタイムで移動する施術道具１５０の座標系を互いに整合することができる。また、事前に前記３次元画像を取得する時にも、前記動的参照装置を付着する必要がなく、いつでも座標系の再設定及び再整合が可能なので、前記基準マーカー部１１０は、前記患者１０に対し厳格に固定される必要もない。
【０１２０】
従って、マーカーを患者に直接付着することで引き起こされる患者の苦痛と誤差、手術前にスタンプを製作しなければならない等の作業の煩わしさと多くの所要時間及び費用等とのような従来技術の問題を解決することができる。即ち、別途の準備過程なしに手術室内で迅速に施術道具の座標系を設定して画像整合を行うことができるので、より短時間及び少ない費用で正確かつ容易に施術道具の座標系設定及び画像整合が可能であり、患者に直接付着される動的参照装置ＤＲＢを省略して、患者に直接操作を加えなくてもよいので、患者の苦痛及び副作用を軽減することができる。
【０１２１】
以下、前記したオプティカルトラッキングシステム１００を用いて施術前に予め撮影される３次元画像の座標系と、患者の患部と施術機構が位置する施術時の実際の世界の座標系を整合する過程を図面を参照として説明する。
【０１２２】
図４は、本発明の一実施例によるオプティカルトラッキングシステムの座標系整合方法を示したフローチャートである。
【０１２３】
図１〜図４を参照すると、まず、患者１０に対する施術前に前記患者１０の３次元画像、例えば、ＣＴ画像を取得する(Ｓ１１０)。
【０１２４】
前記のように施術前に予め取得したＣＴ画像のような３次元画像(これを再構成した画像を含む)を、例えば、コンピュータに格納することができる。
【０１２５】
続いて、次の通り施術時の過程が行われる。
【０１２６】
まず、前記患者１０に相対的に固定配置された基準マーカー部１１０及び前記３次元画像に対応する前記患者１０の所定部位に対して３次元形状を測定する形状測定部１２０をトラッキングセンサ部１３０によりセンシングする(Ｓ１２０)。
【０１２７】
次に、前記トラッキングセンサ部１３０でセンシングされた結果に基づいて前記基準マーカー部１１０と前記トラッキングセンサ部１３０との間の座標変換関係及び前記形状測定部１２０と前記トラッキングセンサ部１３０との間の座標変換関係を取得し、前記形状測定部１２０で測定された結果に基づいて前記患者１０の所定部位と前記形状測定部１２０との間の座標変換関係を取得する(Ｓ１３０)。
【０１２８】
この時、前記基準マーカー部１１０と前記トラッキングセンサ部１３０との間の座標変換関係及び前記形状測定部１２０のマーカーと前記トラッキングセンサ部１３０との間の座標変換関係を取得し、前記形状測定部１２０の前記測定装置１２２と前記マーカー１２４との間の座標変換関係を取得し、前記患者１０と前記形状測定部１２０の前記測定装置１２２との間の座標変換関係を取得することができる。
【０１２９】
続いて、前記取得された座標変換関係から前記基準マーカー部１１０に対し相対的な前記患者１０の座標系を定義する(Ｓ１４０)。
【０１３０】
次に、前記取得された３次元画像の座標系及び前記定義された前記患者１０の座標系を、前記形状測定部１２０で測定された３次元形状に基づいて整合することができる(Ｓ１５０)。
【０１３１】
このように、前記患者１０の座標系を前記基準マーカー部１１０に対し相対的に定義し、予め取得されたＣＴ画像のような３次元画像の座標系と前記患者１０の座標系を整合することができる。
【０１３２】
医師のような施術者にマーカー１５２が付着された施術道具１５０が提供され、前記施術者は、前記患者１０を施術するための前記施術道具１５０を直接あるいは手術ロボットなどの装備を用いて運用する。前記施術道具１５０に対しては、次の通りトラッキングのための過程が行われる。
【０１３３】
前記トラッキングセンサ部１３０は、前記施術道具１５０のマーカー１５２をセンシングする(Ｓ１６０)。
【０１３４】
続いて、前記トラッキングセンサ部１３０でセンシングされた結果に基づいて前記基準マーカー部１１０と前記トラッキングセンサ部１３０との間の座標変換関係及び前記施術道具１５０のマーカー１５２と前記トラッキングセンサ部１３０との間の座標変換関係を取得する(Ｓ１７０)。
【０１３５】
次に、前記取得された座標変換関係及び前記基準マーカー部１１０に対し相対的に定義された前記患者１０の座標系を用いて、前記患者１０に対し相対的な前記施術道具１５０の座標系を定義する(Ｓ１８０)。
【０１３６】
続いて、前記取得された３次元画像の座標系及び前記定義された前記施術道具１５０の座標系を、前記３次元画像の座標系及び前記患者の座標系の整合結果に基づいて整合する(Ｓ１９０)。
【０１３７】
このように、前記患者１０を施術するための施術道具１５０の座標系を前記患者１０に対し相対的に定義し、予め取得されたＣＴ画像のような３次元画像の座標系と前記施術道具１０の座標系を整合することができる。
【０１３８】
一方、前記患者１０が動く場合、自動または手動で前記患者の座標系を再定義することができるので、先の前記形状測定部１２０をトラッキングセンサ部１３０によりセンシングする過程(Ｓ１２０)以下を繰り返すことができる。この時、前記患者１０が直接動く場合ではなくても、前記患者１０と前記基準マーカー部１１０との間の距離が変わる場合には、前記患者１０が動く場合とみなすことができる。
【０１３９】
本実施例では、前記オプティカルトラッキングシステム１００の座標系整合方法を図４のフローチャートを参照として簡略に説明しているが、前記オプティカルトラッキングシステム１００の具体的な動作は先に図１〜図３で説明された内容と実質的に同一なので、重複する詳細な説明は省略する。
【０１４０】
本発明によれば、オプティカルトラッキングシステムが形状測定部を備えて患者の所定部位に対して３次元形状を測定し、トラッキングセンサ部で前記形状測定部と基準マーカー部をセンシングすることにより、これらの間の座標変換関係から前記基準マーカー部に対して相対的な前記患者の座標系を定義することができ、施術時にリアルタイムで前記患者及び施術道具をトラッキングできる。
【０１４１】
また、前記基準マーカー部に対して相対的な前記患者の座標系を定義する過程が容易に再実行され得るので、前記患者が動いたり姿勢が変わる場合にも、正確に座標系を再設定することができ、前記患者及び前記施術道具をリアルタイムで正確にトラッキングできる。
【０１４２】
また、施術時に測定された前記患者の３次元形状自体を標識に整合が可能なので、動的参照装置（ＤＲＢ）を患者に直接付着しなくても施術前に予め取得された３次元画像の座標系と施術時にリアルタイムで移動され得る患者の座標系及び施術道具の座標系を互いに整合することができる。また、事前に前記３次元画像を取得する時にも前記動的参照装置を付着する必要がなく、いつでも座標系の再設定及び再整合が可能なので、前記基準マーカー部は、前記患者に対して厳格に固定される必要もない。
【０１４３】
従って、マーカーを患者に直接付着することで引き起こされる患者の苦痛と誤差、手術前にスタンプを製作しなければならない等の作業の煩わしさと多くの所要時間及び費用等のような従来技術の問題を解決することができる。
【０１４４】
即ち、別途の準備過程なしに手術室内で迅速に患者の座標系を設定して画像整合を行うことができるので、より短時間及び少ない費用で正確かつ容易に患者の座標系及び施術道具の座標系設定及び画像整合が可能で、患者に直接付着される動的参照装置（ＤＲＢ）を省略して患者に直接操作を加えなくてもよいので、患者の苦痛及び副作用を軽減することができる。
【０１４５】
前述した本発明の詳細な説明では、本発明の好ましい実施例を参照して説明したが、当該技術分野の熟練した当業者または当該技術分野に通常の知識を有する者であれば、後述される特許請求の範囲に記載された本発明の思想及び技術領域から逸脱しない範囲内で本発明を多様に修正及び変更させることができるものである。従って、前述した説明及び下記の図面は、本発明の技術思想を限定するわけではなく本発明を例示するものと解釈されるべきである。
【符号の説明】
【０１４６】
１００：オプティカルトラッキングシステム
１１０：基準マーカー部
１２０：形状測定部
１３０：トラッキングセンサ部
１４０：処理部
１５０：施術道具
【図１】
0006475324.tif 000019
【図２】
0006475324.tif 000020
【図３】
0006475324.tif 000021
【図４】
0006475324.tif 000022